【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
医療用熱交換パッドであって、
流体を含有するための柔軟な流体含有層と、前記流体含有層の第一のポートから第二のポートまで前記流体が循環することと、前記医療用パッドは、中央セグメントと、前記中央セグメントと離間して、かつ回動可能に相互接続される第一及び第二の側部フラップセグメントと、を含むことと、
前記流体含有層内に定義された、複数の隣接し、かつ蛇行した流体チャネルと、前記複数の流体チャネルの各々は、前記第一及び第二の側部フラップセグメントのうちの一つに配置される少なくとも一つのＵ字型の第一の部分をそれぞれ有することと、
からなる医療用熱交換パッド。
【請求項２】
前記第一及び第二の側部フラップセグメントを貫通する前記複数の流体チャネルの各々は、Ｓ字型の形状である請求項１に記載の医療用熱交換パッド。
【請求項３】
前記医療用パッドは、前記中央セグメントと回動可能に相互接続される少なくとも一つの端部フラップセグメントを更に含む請求項１に記載の医療用熱交換パッド。
【請求項４】
前記第一及び第二の側部フラップセグメント並びに前記少なくとも一つの端部フラップセグメントは対応するピボット軸に沿って前記中央セグメントに隣接し、かつ前記端部フラップセグメントに対応するピボット軸は前記第一及び第二の側部フラップセグメントに対応するピボット軸の少なくとも一つを横断する請求項３に記載の医療用熱交換パッド。
【請求項５】
前記流体含有層の内部に定義され、かつ前記第一のポートからの流体を前記複数の流体チャネル内に分配するための入口流体ステージングチャンバを更に備え、
前記複数の流体チャネルの各々は前記入口流体ステージングチャンバにて終了する入口端を有する請求項１に記載の医療用熱交換パッド。
【請求項６】
前記流体含有層の第一の側部の少なくとも一部を覆って延びる接着面を更に含む請求項１に記載の医療用熱交換パッド。
【請求項７】
前記流体含有層の前記第一の側部上に配置される整合層を更に含み、前記整合層は熱伝導性であり、かつ前記接着面を定義する請求項６に記載の医療用熱交換パッド。
【請求項８】
前記整合層はハイドロゲル材料からなる請求項７に記載の医療用熱交換パッド。
【請求項９】
医療用熱交換パッドであって、
流体を含有する柔軟な流体含有層と、前記流体は前記流体含有層の第一のポートから第二のポートまで循環することと、
前記流体含有層の内部に定義される複数かつ第一の隣接した流体チャネルと、前記複数かつ第一の流体チャネルは一致し、かつ蛇行した形状を有することと、
前記流体含有層の内部に定義される複数かつ第二の隣接した流体チャネルと、前記複数かつ第二の流体チャネルは、前記複数かつ第一の隣接した流体チャネルの一致し、かつ蛇行した形状とは異なる一致した形状を有する医療用熱交換パッド。
【請求項１０】
前記複数かつ第二の流体チャネルの各々は、前記医療用熱交換パッドの側方端部とほぼ平行に延びる部分を含む請求項９に記載の医療用熱交換パッド。
【請求項１１】
前記複数かつ第一の流体チャネルの各々は少なくとも一つのＵ字型部分を含む請求項１０に記載の医療用熱交換パッド。
【請求項１２】
前記医療用パッドは、中央セグメントと、前記中央セグメントと離間して、かつ回動可能に相互接続される第一及び第二の側部フラップセグメントと、を含み、かつ前記複数かつ第一の流体チャネルの前記Ｕ字型の部分は前記第一及び第二の側方フラップセグメントの少なくとも一つに配置される請求項１１に記載の医療用熱交換パッド。
【請求項１３】
前記流体含有層の内部に定義され、かつ前記第一のポートからの流体を前記複数かつ第一の隣接する流体チャネル内に分配するための入口流体ステージングチャンバを更に備え、
前記複数かつ第一及び第二の流体チャネルの各々は前記入口流体ステージングチャンバにて終了する入口端を有する請求項９に記載の医療用熱交換パッド。
【請求項１４】
前記流体含有層の第一の側部の少なくとも一部を覆って延びる接着面を更に含む請求項９に記載の医療用熱交換パッド。
【請求項１５】
医療用熱交換パッドであって、
流体を含有する柔軟な流体含有層と、前記流体は前記流体含有層の第一のポートから第
二のポートまで循環することと、
前記流体含有層の内部に定義される複数かつ第一の隣接した流体チャネルと、前記複数かつ第一の隣接した流体チャネルは前記第一及び第二のポートの間にて流体を流通させることと、前記複数かつ第一の流体チャネルは一致し、かつ蛇行した形状を有することと、
前記流体含有層の内部に定義される複数かつ第二の隣接した流体チャネルと、前記複数かつ第二の隣接した流体チャネルは前記第一及び第二のポートの間にて流体を流通させることと、前記複数かつ第二の流体チャネルは前記複数かつ第一の隣接した流体チャネルの一致した形状とは異なる第二の一致した形状を有することと、かつ前記複数かつ第一及び第二の流体チャネルはその内部を流体が流通するように直列に相互に流体連通可能であることと、からなる医療用熱交換パッド。
【請求項１６】
前記複数かつ第一の流体チャネルは一致し、かつ蛇行した形状を有する請求項１５に記載の医療用熱交換パッド。
【請求項１７】
前記複数かつ第一の流体チャネルからの流体を受領するとともに該流体を前記複数かつ第二の流体チャネルに分配するための中間流体ステージングチャンバを更に含み、前記複数かつ第一の流体チャネルは前記中間流体ステージングチャンバにて全て終了する複数の対応する出口端を有し、かつ前記複数かつ第二の流体チャネルは前記中間流体ステージングチャンバにて全て終了する複数の対応する入口端を有する請求項１５に記載の医療用熱交換パッド。
【請求項１８】
医療用熱交換パッドであって、
流体を含有する柔軟な流体含有層と、前記流体は前記流体含有層の第一のポートから第二のポートまで循環することと、
前記流体含有層の内部に定義され、かつ前記第一のポートと第二のポートとの間にて流体を連通させる複数かつ第一の隣接した流体チャネルと、
前記流体含有層の内部に定義され、かつ前記第一のポートと第二のポートとの間にて流体を連通させる複数かつ第二の隣接した流体チャネルと、
前記複数かつ第一及び第二の流体チャネルの一方からの流体を受領するとともに該流体を前記複数かつ第一及び第二の流体チャネルの他方へと分配するための中間流体ステージングチャンバと、前記複数かつ第一の流体チャネルは前記中間流体ステージングチャンバにて全て終了する複数の対応する出口端を有し、かつ前記複数かつ第二の流体チャネルは前記中間ステージングチャンバにて全て終了する複数の対応する入口端を有することと、からなる医療用熱交換パッド。
【請求項１９】
前記流体含有層の内部に定義され、かつ前記第一のポートからの流体を前記複数かつ第一の流体チャネルに分配するための第一のステージングチャンバを更に含み、前記複数かつ第一の流体チャネルは前記第一のステージングチャンバにて終了する対応する複数の入口端を有する請求項１８に記載の医療用熱交換パッド。
【請求項２０】
前記複数かつ第一の流体チャネルは第一の一致した形状を有し、かつ前記複数かつ第二の流体チャネルは前記第一の一致した形状とは異なる第二の一致した形状を有する請求項１８に記載の医療用熱交換パッド。
【請求項２１】
医療用熱交換パッドであって、
中央セグメントと、前記中央セグメントに回動可能に相互接続される少なくとも一つのフラップセグメントと、前記中央セグメントに回動可能に相互接続される少なくとも一つの端部フラップセグメントと、
流体を含有するための柔軟な流体含有層と、該流体は、前記流体含有層の入口ポートから出口ポートまで循環することと、前記入口ポート及び出口ポートはいずれも前記端部プラップセグメント内に配置されていることと、
前記流体含有層の内部に定義される複数の隣接した流体チャネルと、
からなる医療用熱交換パッド。